(57)【特許請求の範囲】
【請求項１】
電流及び電圧を計測できるプログラマブル電源の電流電圧を入力し、演算増幅器で電圧増幅し、前記演算増幅器の出力電流を電流検出用抵抗を通して負荷に出力し、前記負荷に印加する装置の出力電圧を直列に接続された第１の電圧増幅用抵抗および第２の電圧増幅用抵抗を介して接地すると共に前記第１の電圧増幅用抵抗および前記第２の電圧増幅用抵抗の間の電圧を前記演算増幅器の逆相入力端子に帰還させて所定の電圧増幅を得て出力電圧を負荷に出力する電流電圧測定装置において、
前記電流検出用抵抗の両端の電位差を検出して所定の電圧を電流増幅用抵抗を介して前記演算増幅器の入力側に帰還させる電流検出手段と、
装置の出力電圧を検出して所定の電圧を前記演算増幅器の入力側に帰還させて、前記電流検出手段の出力電圧を前記プログラマブル電源の出力電圧分押し上げる電流増幅用帰還ラインと、
を具備することを特徴とする電流電圧測定装置。
【請求項２】
電流及び電圧を入力側ボルテージ・フォロアの入力端子と、電流増幅用抵抗を通して電流検出手段の出力端とに接続し、電流及び電圧を計測できるプログラマブル電源と、
出力電圧を演算増幅器の正相入力端子と、電流増幅用帰還ラインを通し抵抗を介して出力側ボルテージ・フォロアの出力端とに接続する前記入力側ボルテージ・フォロアと、
前記演算増幅器の出力電流を電流検出用抵抗を通し負荷に出力し、前記負荷に印加する装置の出力電圧を出力側ボルテージ・フォロアと第１の電圧増幅用抵抗および第２の電圧増幅用抵抗とを介して接地すると共に前記第１の電圧増幅用抵抗および前記第２の電圧増幅用抵抗の間の電圧を前記演算増幅器の逆相入力端子に帰還させて所定の電圧増幅度を得て装置の出力電圧を出力する電圧増幅回路と、
前記電流検出用抵抗の両端の電位差を検出して所定の電圧を前記電流増幅用抵抗に接続している電流検出手段と、
を具備することを特徴とする電流電圧測定装置。
【請求項３】
前記電流検出手段は、
装置の出力電圧を前記演算増幅器の入力側に帰還させる前記電流増幅用帰還ライン上に直列に接続された第１抵抗および第２抵抗と、
前記演算増幅器の出力と前記電流検出手段の出力との間に直列に接続された第３抵抗および第４抵抗と、
前記第１抵抗および前記第２抵抗の間の電圧と、前記第３抵抗および前記第４抵抗の間の電圧との電位差を検出して所定の電圧を出力するオペアンプと、
を有する請求項１または２に記載の電流電圧測定装置。
【請求項４】
電流及び電圧を入力側ボルテージ・フォロアの入力端子と電流増幅用抵抗を通して電圧加算回路の出力端とに接続し、電流及び電圧を計測できるプログラマブル電源と、
入力側ボルテージ・フォロアからの電圧を入力して反転して出力する電圧反転回路と、
前記電圧反転回路の出力電圧を第２の電圧増幅用抵抗を介して演算増幅器の逆相入力端子と、電圧加算回路の一端子とに出力し、前記演算増幅器の逆相入力端子には、前記電圧反転回路からの電圧を前記第２の電圧増幅用抵抗を介して入力すると共に、装置の出力電圧を出力側ボルテージ・フォロア及び第１の電圧増幅用抵抗とを介して入力し、正相入力端子は接地し、出力電流は電流検出用抵抗を通し出力電圧を負荷に出力する反転増幅回路を構成し、
前記電流検出用抵抗の両端の電位差を検出して前記電圧加算回路の他端子に出力する電流検出手段と、
を具備することを特徴とする電流電圧測定装置。
【請求項５】
前記電流検出手段は、
装置の出力電圧と前記電流検出手段の出力との間に直列に接続された第１抵抗および第２抵抗と、
前記演算増幅器の出力と接地電位との間に直列に接続された第３抵抗および第４抵抗と、
前記第１抵抗および前記第２抵抗の間の電圧と、前記第３抵抗および前記第４抵抗の間の電圧との電位差を検出して前記電圧加算回路の他端子に出力するオペアンプと、
を有する請求項４に記載の電流電圧測定装置。
【請求項６】
電流及び電圧を入力側ボルテージ・フォロアの入力端子と電流増幅用抵抗とを通して電圧分圧回路の出力端とに接続して、電流及び電圧を計測できるプログラマブル電源と、
前記入力側ボルテージ・フォロアの出力電圧を演算増幅器の正相入力端子で受け、前記演算増幅器の出力電流を電流検出用抵抗を通し負荷に出力し、前記負荷に印加する出力電圧を出力側ボルテージ・フォロアと第１の電圧増幅用抵抗および第２の電圧増幅用抵抗とを介して接地すると共に前記第１の電圧増幅用抵抗および前記第２の電圧増幅用抵抗の間の電圧を前記演算増幅器の逆相入力端子に帰還させて、所定の電圧増幅度を得て装置の出力電圧を出力する電圧増幅回路と、
前記電流検出用抵抗の両端の電位差に前記電圧増幅回路の電圧増幅度を乗じた値を装置の出力電圧から減じた所定の電圧を検出する電流検出手段と、
前記電流検出手段の出力電圧を前記電圧増幅度で分割して前記電流増幅用抵抗に接続している電圧分圧回路と、
を具備することを特徴とする電流電圧測定装置。
【請求項７】
前記電流検出手段は、
前記演算増幅器の出力と前記電流検出手段の出力との間に直列に接続された第１抵抗および第２抵抗と、
前記装置の出力電圧と前記第１抵抗および前記第２抵抗の間の電圧との電位差を検出するオペアンプと、
を有する請求項６に記載の電流電圧測定装置。
【請求項８】
請求項１から７のいずれかに記載の電流電圧測定装置において、前記第１の電圧増幅用抵抗を複数段並列に設けてスイッチの切り換えにより電圧増幅度を所定に切り換え、更に前記電流増幅用抵抗を複数段並列に設けてスイッチを切り換え電流増幅度を所定に切り換えることを特徴とする電流電圧測定装置。
【発明の詳細な説明】
【０００１】
【発明の属する技術分野】
この発明は、発生電圧及び駆動電流を計測できるプログラマブル電源を有して電圧印加電流測定あるいは電流印加電圧測定を行うＤＣ（直流）測定装置において、発生電圧及び駆動電流を所定の電圧及び所定の電流に増幅が可能で電流電圧測定を行う電流電圧測定装置に関する。
【０００２】
【従来の技術】
プログラマブル電源を有して電圧印加電流測定装置あるいは電流印加電圧測定装置は、一般の電子計測器によく使用される。半導体試験装置にも直流特性試験の際に用いられている。
図５に従来技術の一例として、半導体試験装置に用いられている電圧増幅回路有する非反転電圧増幅回路を有する電圧印加電流測定装置の構成図を示す。
【０００３】
図５において、プログラマブル電源１は、一般的にデジタル・アナログ変換器（Ｄ／Ａ）を主として構成される。このプログラマブル電源１は、図示していないが、制御部からのデジタル信号で所定の高分解能な電圧を設定し出力できる。更に、プログラマブル電源１は出力電圧及び出力電流をデジタル計測して記憶し他部署に伝送したり、必要なときは表示されるようにされている。これらのプログラマブル電源１は、市販のものを用いてもよいし、この装置に適合したものを別途設計し作製しても用いてもよい。
【０００４】
この装置の主な構成は、演算増幅器（オペアンプ： Operational Amplifier）１０を用いた電圧増幅回路による電圧印加電流測定装置である。つまり、演算増幅器１０の正相（＋）入力端子にプログラマブル電源１の電圧を入力して、逆相（ー）入力端子には出力電圧Ｖｏを帰還して電圧を出力する。よって、出力電圧Ｖｏを安定化させることができる。
【０００５】
なお所定の電圧増幅度を得るために、出力電圧Ｖｏの帰還回路には電圧増幅用抵抗１４を介して帰還させ、電圧増幅用抵抗１５を介して接地している。ここで、電圧増幅用抵抗１５の抵抗値をｒとし、電圧増幅用抵抗１４の抵抗値をそのｍ倍の（ｍ・ｒ）とすると、出力電圧は、Ｖｏ＝（１＋ｍ）Ｖin  となる。つまり、電圧増幅度は（１＋ｍ）である。電圧増幅用抵抗１４及び１５を無くして、図６のように、出力電圧Ｖｏを直接に演算増幅器１０の（ー）入力端子に帰還させるとボルテージ・フォロアとなり、電圧増幅度は１であり、Ｖｏ＝Ｖin  となる。この回路は、演算増幅器１０を用いた非反転電圧増幅回路である。
【０００６】
ところで、電圧増幅度は電圧増幅用抵抗１４及び１５の抵抗値によって正しく決まるが、出力電流Ｉｏは不定である。出力電流Ｉｏは出力電圧Ｖｏと負荷２のインピーダンスによって決まる。そこで、出力電流Ｉｏを測定するために負荷の電流検出用抵抗１１と電流検出用減算器１２とＡＤコンバータ（アナログ・デジタル変換器）とを設けている。ここで、電流検出用抵抗１１の抵抗値をＲＭとする。そして、電流検出用減算器１２は電流検出用抵抗１１の両端の電位差（ＲＭ・Ｉｏ）を検出し、ＡＤコンバータ３でデジタル・データに変換して出力電流Ｉｏを求めている。
【０００７】
数式を用いて説明する。出力電流Ｉｏは電流検出用抵抗１１を流れるので、電流検出用抵抗１１の両端の電位差は、ＲＭ・Ｉｏ  となる。電流検出用減算器１２内のオペアンプの（＋）入力端子には出力電圧Ｖｏ／２の電圧が印加されている。よって、電流検出用減算器１２内のオペアンプの（−）入力端子側には電流（Ｖｏ＋２・ＲＭ・Ｉｏ）／２  が流れて、電流検出用減算器１２の出力電圧Ｖ１は、Ｖ１＝−（ＲＭ・Ｉｏ）  となる。ＲＭは既知であるのでＩｏが求まる。
なお、図５における電流検出用減算器１２では、出力電圧Ｖｏを２つの抵抗ｒ１を介して接地しており、電流が流れるので、出力電圧Ｖｏを出力側ボルテージ・フォロア１６を介して得ている。
【０００８】
図６に従来の電流増幅回路を有する電流印加電圧測定装置の構成図を示す。この装置はボルテージ・フォロアであるので出力電圧Ｖｏは入力電圧Ｖinとなる。そして、電流検出用抵抗１１の電位差を電流増幅回路１３で検出し、電流増幅用抵抗１７を介して入力端子側に帰還している。ここで、電流検出用抵抗１１の抵抗値をＲＭとし、電流増幅用抵抗１７の抵抗値をｎ倍の（ｎ・ＲＭ）とすると、出力電流Ｉｏは、Ｉｏ＝ｎ・Ｉin  となり、電流増幅度は、ｎとなる。
【０００９】
数式を用いて説明する。出力電圧Ｖｏは入力電圧Ｖinと等しいので、Ｖｏ＝Ｖin  である。出力電流Ｉｏは電流検出用抵抗１１を流れるので、電流検出用抵抗１１の両端の電位差は、ＲＭ・Ｉｏ  となる。電流増幅回路１３内のオペアンプの＋入力端子には、出力電圧Ｖｏが印加されているので、電流増幅回路１３の出力電圧Ｖ２は、Ｖ２＝Ｖin−ＲＭ・Ｉｏ  となる。
【００１０】
一方、入力電流Ｉinは、演算増幅器１０の入力インピーダンスが無限大であるために電流増幅用抵抗１７を介して電流増幅回路１３の出力端子側に流れる。よって、Ｖin−Ｖ２＝ｎ・ＲＭ・Ｉin  となり、前式のＶ２を代入すると、Ｉｏ＝ｎ・Ｉin  となる。つまり、出力電流Ｉｏは、常に入力電流Ｉinのｎ倍となり、負荷２のインピーダンス変動によっても電流比の変動は無い。ＩｏとＩinとが、共に同一電流比でもって増減する。よって、負荷電流Ｉｏは、プログラマブル電源１の出力電流を読み取ることにより計測できる。
【００１１】
【発明が解決しようとする課題】
従来の電圧増幅度を有する電流電圧測定装置の構成図は基本的に図５の構成であり、電流増幅度を有する電流電圧測定装置は基本的に図６の構成であった。いずれの構成においても、制御部におけるプログラム制御により電圧印加電流測定も電流印加電圧測定もできて有用である。
【００１２】
しかしながら、従来の電流電圧測定装置ではいずれかの構成を選択するか、あるいは双方の装置を準備するかを選択していた。更に、図５における電圧増幅度を有する電流電圧測定装置の構成では、出力電流Ｉｏが不定のために、電流検出用減算器１２とＡＤコンバータ３とデジタル処理回路を別途必要としていた。
図６における電流増幅度を有する電流電圧測定装置は、入出力電流比が一定であるが、出力電圧Ｖｏは変換できずに入力電圧Ｖinと等しかった。
【００１３】
この発明は、既存の出力電圧及び出力電流を計測できるプログラマブル電源１を用いて、そのプログラマブル電源１の発生電圧及び発生電流の能力を超える電圧あるいは電流が必要な電子デバイスや電子回路、つまり負荷２の電流電圧測定ができるようにした電流電圧測定装置である。つまり、所定の電圧増幅度を持たし、更に所定の電流増幅度も持たし、そして小型化した電流電圧測定装置を提供するものである。従って、被測定電子デバイスや電子回路がどのように変更されても、その測定に対応できる電流電圧測定装置である。
【００１４】
【課題を解決するための手段】
上記目的を達成するために、この発明は、電流電圧測定装置（以後、「装置」と略称する）の出力電圧を検出して所定の電圧を演算増幅器１０の入力側に電流増幅用帰還ラインを介して帰還させ、更に、電流検出用抵抗１１の両端の電位差を電流検出手段１８で検出して所定の電圧を電流増幅用抵抗１７を介して装置の入力側、つまりプログラマブル電源１の電流電圧入力端子に帰還させる。
【００１５】
詳細は「発明の実施の形態」の欄で説明するが、結果的に電圧増幅度（１＋ｍ）は電圧増幅用抵抗１４の抵抗値（ｍ・ｒ）と電圧増幅用抵抗１５の抵抗値ｒとの抵抗値比で決まり、電流増幅度ｎは電流検出用抵抗１１の抵抗値ＲＭと電流増幅用抵抗１７の抵抗値（ｎ・ＲＭ）との抵抗値比で決まる。更に、発明５のように電圧増幅度及び電流増幅度を所定に切り換えることもできる。次に発明の構成について述べる。ここでは、未説明の図１〜図４の符号を附加して述べることにする。電流検出手段１８の構成は、所定の電圧を得るために種々の構成がなされている。
【００１６】
第１発明は、基本的な発明である。つまり、▲１▼電流Ｉin及び電圧Ｖinを計測できるプログラマブル電源１の電流電圧を入力し、演算増幅器１０で電圧増幅し、該演算増幅器１０の出力電流を電流検出用抵抗１１を通して負荷２に出力し、該負荷２に印加する装置の出力電圧Ｖｏを電圧増幅用抵抗１４を介して上記演算増幅器１０の逆相入力端子に帰還させると共に電圧増幅用抵抗１５を介し接地して所定の電圧増幅を得て出力電圧Ｖｏを負荷２に出力する電流電圧測定装置であって、▲２▼装置の出力電圧Ｖｏを検出して所定の電圧を上記演算増幅器１０の入力側に帰還させる電流増幅用帰還ライン１９と、▲３▼上記電流検出用抵抗１１の両端の電位差を検出して所定の電圧を電流増幅用抵抗１７を介して装置の入力側に帰還させる電流検出手段とを具備する電流電圧測定装置である。
【００１７】
第２発明は、図１の実施例に基づく具体的な発明である。つまり、▲１▼電流Ｉin及び電圧Ｖinを入力側ボルテージ・フォロア２０の入力端子と、電流増幅用抵抗１７を通して電流検出手段１８の出力端とに接続し、電流Ｉin及び電圧Ｖinを計測できるプログラマブル電源１と、▲２▼出力電圧を演算増幅器１０の正相入力端子と、電流増幅用帰還ライン１９を通し抵抗を介して出力側ボルテージ・フォロアの出力端とに接続する上記入力側ボルテージ・フォロア２０と、▲３▼上記演算増幅器１０の出力電流を電流検出用抵抗１１を通し負荷２に出力し、該負荷２に印加する装置の出力電圧Ｖｏを出力側ボルテージ・フォロア１６と電圧増幅用抵抗１４を通して上記演算増幅器１０の逆相入力端子に帰還させると共に電圧増幅用抵抗１５を介して接地し、所定の電圧増幅度を得て装置の出力電圧Ｖｏを出力する電圧増幅回路と、▲４▼上記電流検出用抵抗１１の両端の電位差から所定の電圧Ｖ３を検出して上記電流増幅用抵抗１７に接続している電流検出手段１８とを具備する電流電圧測定装置である。
【００１８】
第３発明は、反転増幅回路を用いた図２のその他の実施例に基づく具体的な発明である。つまり、▲１▼電流Ｉin及び電圧Ｖinを入力側ボルテージ・フォロア２０の入力端子と電流増幅用抵抗１７を通して電圧加算回路２３の出力端とに接続し、電流Ｉin及び電圧Ｖinを計測できるプログラマブル電源１と、▲２▼入力側ボルテージ・フォロア２０からの電圧Ｖinを入力して反転して出力する電圧反転回路２１と、▲３▼上記電圧反転回路２１の出力電圧を電圧増幅用抵抗１５を介して演算増幅器１０の逆相入力端子と、電圧加算回路２３の一端子とに出力し、▲４▼上記演算増幅器１０の逆相入力端子には上記電圧反転回路２１から電圧増幅用抵抗１５を介した電圧（−Ｖin）と更に装置の出力電圧Ｖｏを出力側ボルテージ・フォロア１６及び電圧増幅用抵抗１５とを介して入力し、正相入力端子は接地し、出力電流は電流検出用抵抗１１を通し出力電圧Ｖｏを負荷２に出力する反転増幅回路を構成し、▲５▼上記電流検出用抵抗１１の両端の電位差から所定の電圧Ｖ４を検出して上記電圧加算回路２３の他端子に出力する電流検出手段とを具備する電流電圧測定装置である。
【００１９】
第４発明は、電流増幅用帰還ラインを変更した図３のその他の実施例に基づく具体的な発明である。つまり、▲１▼電流Ｉin及び電圧Ｖinを入力側ボルテージ・フォロア２０の入力端子と電流増幅用抵抗１７を通して電圧分圧回路２４の出力端とに接続し、電流Ｉin及び電圧Ｖinを計測できるプログラマブル電源１と、▲２▼上記入力側ボルテージ・フォロア２０の出力電圧を演算増幅器１０の正相入力端子で受け、該演算増幅器１０の出力電流を電流検出用抵抗１１を通し負荷２に出力し、該負荷２に印加する出力電圧Ｖｏを出力側ボルテージ・フォロア１６と電圧増幅用抵抗１４を通して上記演算増幅器１０の逆相入力端子に帰還させると共に電圧増幅用抵抗１５を介して接地し、所定の電圧増幅度を得て装置の出力電圧Ｖｏを出力する電圧増幅回路と、▲３▼上記電流検出用抵抗１１の両端の電位差から所定の電圧Ｖ６を検出する電流検出手段１８と、▲４▼上記電流検出手段１８の出力電圧を分割して上記電流増幅用抵抗１７に接続している電圧分圧回路２４とを具備する電流電圧測定装置である。
【００２０】
第５発明は、電圧・電流の増幅比率を可変とした図４のその他の実施例に基づく具体的な発明である。つまり、発明第１、第２、第３、第４のそれぞれにおいて、電圧増幅用抵抗１４を複数段並列に設けてスイッチの切り換えにより電圧増幅度を所定に切り換え、更に電流増幅用抵抗１７を複数段並列に設けてスイッチを切り換えて電流増幅度を所定に切り換えることを特徴とする電流電圧測定装置である。
【００２１】
【発明の実施の形態】
発明の実施の形態を実施例に基づき図面を参照して説明する。図１に本発明の一実施例の構成図を、図２に反転増幅回路を用いた他の実施例の構成図を、図３に電流増幅帰還ラインを変更したその他の実施例の構成図を、図４に電圧・電流の増幅比率を可変としたその他の実施例の構成図を示す。
まず、図１より説明する。
【００２２】
図１は、第１発明の基本的な技術的思想の構成図であり、第２発明の具体的な構成図でもある。この発明は、負荷２に印加する装置の出力電圧Ｖｏの電圧を、抵抗と電流増幅用帰還ライン１９とを介して電圧増幅回路の演算増幅器１０の入力側に帰還させている。よって、電流増幅用帰還ライン１９は電流検出手段１８の出力電圧Ｖ３の値をＶin押し上げている。数式を用いて説明する。
【００２３】
電圧増幅回路の演算増幅器１０の出力電圧をＶとすると、電流検出用抵抗１１の電位差は、Ｖ−Ｖｏ＝ＲＭ・Ｉｏ  となる。そして電流検出手段１８のオペアンプの＋入力端子には、（Ｖｏ＋Ｖin）／２  の電圧が印加されているので、電流検出手段１８の出力電圧Ｖ３は、
Ｖ３＝（Ｖｏ＋Ｖin）−Ｖ＝Ｖin−ＲＭ・Ｉｏ  となる。
【００２４】
プログラマブル電源１からの入力電流Ｉinは、入力側ボルテージ・フォロア２０の入力インピーダンスが無限大であるため、電流増幅用抵抗１７を介して電流検出手段１８の出力側に流れる。従って、
Ｉin＝（Ｖin−Ｖ３）／（ｎ・ＲＭ）
であり、上記Ｖ３を代入すると、Ｉin＝Ｉｏ／ｎ  となる。つまり、Ｉｏ＝ｎ・Ｉin  となり、常に負荷２に与える負荷電流Ｉｏは、プログラマブル電源１からの入力電流Ｉinのｎ倍となり、この比率は変わらない。よって、プログラマブル電源１の電流値Ｉinを計測することにより、装置の出力電流Ｉｏを知ることができる。
【００２５】
電圧増幅度は、従来の構成図である図５と同様に、電圧増幅用抵抗１４及び１５の抵抗値比で決まり、（１＋ｍ）  である。
図１において、入力側ボルテージ・フォロア２０及び出力側ボルテージ・フォロア１６は、いわゆる緩衝増幅器（バッファ・アンプ）である。
電流検出手段１８は、図１の構成に限ることなく、いろいろな回路構成が考えられる。
【００２６】
次に、図２について説明する。図２は反転増幅回路を用いた実施例である。従って、非反転増幅回路にするために、電圧反転回路２１を用いている。そして、電圧増幅度はｍとなり、電流増幅度はｎである。数式を用いて説明する。
【００２７】
電流検出手段１８の出力電圧Ｖ４は、Ｖ４＝ＲＭ・Ｉｏ  である。従って、電圧加算回路２３の出力電圧Ｖ５は、Ｖ５＝Ｖin−Ｖ４＝−ＲＭ・Ｉｏ  となり、Ｉin＝（Ｖin−Ｖ５）／（ｎ・ＲＭ）＝Ｉｏ／ｎ  となる。よって、Ｉｏ＝ｎ・Ｉin  となる。第３発明である。
【００２８】
図３は電流増幅用帰還ラインを接地したその他の実施例である。電圧増幅度は（１＋ｍ）となり、電流増幅度はｎである。数式を用いて説明する。電流検出手段１８の出力電圧Ｖ６は、Ｖ６＝Ｖｏ−（ｍ＋１）ＲＭ・Ｉｏ  である。従って、電圧分圧回路２４の出力電圧Ｖ７は、Ｖ７＝Ｖ６／（ｍ＋１）＝−ＲＭ・Ｉｏ＋Ｖin  となり、Ｉin＝（Ｖin−Ｖ７）／（ｎ・ＲＭ）＝Ｉｏ／ｎ  となる。よって、Ｉｏ＝ｎ・Ｉin  となる。第４発明である。
【００２９】
図４は電圧増幅度及び電流増幅度を所定の増幅度に切り換えができる発明である。つまり、電圧増幅用抵抗１４を複数段並列に設け、スイッチで切り換えるようにして電圧増幅度を所定の増幅度に切り換えるようにする。電圧増幅用抵抗１５を複数段並列に設けてもよい。また、電流増幅用抵抗１７も複数段並列に設け、スイッチで切り換えるようにして電流増幅度を所定の増幅度に切り換えるようにする。第５発明である。
【００３０】
図４は図２の構成図を用いたが、これに限ることなく、図１及び図３の構成図に用いてもよい。つまり、この発明は、第１発明、第２発明、第３発明及び第４発明に共通して用いることができる。
【００３１】
【発明の効果】
以上詳細に説明したように、この発明は、既存の出力電圧及び出力電流を計測できるプログラマブル電源１を用いて、そのプログラマブル電源１の発生電圧及び発生電流の能力を超える電圧あるいは電流が必要な電子デバイスや電子回路、つまり負荷２の電流電圧測定ができるようにした。つまり、所定の電圧増幅度を持たし、更に所定の電流増幅度も持たし、そして小型化した。
【００３２】
従って、被測定電子デバイスや電子回路がどのように変更されても、その測定に対応できる電流電圧測定装置であり、実用に供して、その技術的効果は大である。
【図面の簡単な説明】
【図１】本発明の一実施例の構成図である。
【図２】本発明の反転増幅回路を用いた他の実施例の構成図である。
【図３】本発明の電流増幅用帰還ラインを変更したその他の実施例の構成図である。
【図４】本発明の電圧・電流増幅比率を可変としたその他の実施例の構成図である。
【図５】従来の電圧増幅回路を有する電圧印加電流測定装置の構成図である。
【図６】従来の電流増幅回路を有する電流印加電圧測定装置の構成図である。
【符号の説明】
１    プログラマブル電源（Ｄ／Ａ）
２    負荷
３    ＡＤコンバータ
１０    演算増幅器（オペアンプ：Operational Amplifier）
１１    電流検出用抵抗
１２    電流検出用減算器
１３    電流増幅回路
１４、１５    電圧増幅用抵抗
１６    出力側ボルテージ・フォロア
１７    電流増幅用抵抗
１８    電流検出手段
１９    電流増幅用帰還ライン
２０    入力側ボルテージ・フォロア
２１    電圧反転回路
２３    電圧加算回路
２４    電圧分圧回路
【図１】
0004511717.tif 000002
【図２】
0004511717.tif 000003
【図３】
0004511717.tif 000004
【図４】
0004511717.tif 000005
【図５】
0004511717.tif 000006
【図６】
0004511717.tif 000007